(57)【要約】【課題】洗浄前の準備に手間を掛けることなく、犬の洗浄作業や清掃作業の手間を軽減することができる犬洗浄装置を提供する。【解決手段】矩形の底板１上に、犬を載置する高さが調整可能な載置台９に載せた犬に向けて水を噴射する水噴射孔１３が噴射パイプ１４に配置され、底板１の両側に側面となる側面フレーム２の下端が枢着され、それぞれの側面フレーム２の上端には、両側の側面フレーム２が起立した際に上面となる上面フレーム６の半分の巾に形成された上面形成用フレーム５が直角方向に対向して設けられ、それぞれの上面形成用フレーム５の前部には対向する上面形成用フレーム５が側面フレーム２の起立により突き合わされて犬の首が通る大きさの開口７を形成する凹部８が設けられた犬洗浄装置本体と、犬の頭を出した上面、両側面、後面及び後面を覆い、底板側は開放するカバーとを備えた犬洗浄装置。【選択図】図２
0003134290.tif 000002
【実用新案登録請求の範囲】
【請求項１】
矩形の底板上に、犬を載置する高さが調整可能な載置台が配置され、
載置台に載せた犬に向けて水を噴射する複数の水噴射孔が間隔をおいて配置された噴射パイプが配置され、
前記底板の両側に対向して、縦フレームと横フレームからなる、側面となる側面フレームの下端が側面フレームを開閉可能に枢着され、
それぞれの側面フレームの上端には、両側の側面フレームが起立した際に上面となる上面フレームの半分の巾に形成された上面形成用フレームが直角方向に対向して設けられ、それぞれの上面形成用フレームの前部には対向する上面形成用フレームが側面フレームの起立により突き合わされて犬の首が通る大きさの開口を形成する凹部が形成された犬洗浄装置本体と、
犬洗浄装置本体の、犬の頭を出した上面、両側面、後面及び後面を覆い、底板側は開放するカバーとを備えたことを特徴とする犬洗浄装置。
【請求項２】
載置台の前端部に、底板に平行に間隔をおいて立設した一対の支持部材に上下方向に間隔をおいて形成した複数の支持用孔に差し込む差し込み棒が設けられていることを特徴とする請求項１記載の犬洗浄装置。
【請求項３】
噴射パイプが側面フレーム、及び載置台上に設けられていることを特徴とする請求項１又は２記載の犬洗浄装置。
【請求項４】
間隔をおいて複数の水噴射孔が設けられている複数のアーチ形をしたアーチ形水噴射パイプが間隔をおいて平行に、起立した側面フレームと上面フレームで囲われる枠内に出入り可能な台車に設けられていることを特徴とする請求項１又は２記載の犬洗浄装置。
【考案の詳細な説明】
【技術分野】
【０００１】
本考案は、犬に水を噴射して洗浄する犬洗浄装置に関する。
【背景技術】
【０００２】
犬を清潔に保つため、犬をシャワーなどで洗浄している。この洗浄作業の負担を軽減するために各種の犬洗浄装置が提案されている。
【０００３】
例えば、特許文献１には、ペットを囲んで収納する排水口付きの容器本体と、容器本体内に設けられたペットに洗浄液及び濯ぎ液を吹き付ける複数の液吹き付け手段と、洗浄液又は濯ぎ液が吹き付けられて濡れたペットに風を送り乾燥させる複数の送風口とを有する洗浄容器と、液吹き付け手段に洗浄液及び濯ぎ液をそれぞれ供給する洗浄液供給手段及び濯ぎ液供給手段と、送風口に乾燥用の空気を送るブロアとを有し、しかも、洗浄容器の底部には、洗浄容器に収納するペットの大きさによって洗浄容器の深さを調整する深さ調整手段、開口枠に設けられたフードの切れ込みをペットの頭に通す蓋を備えているペット洗浄装置が記載されている。
【特許文献１】特開２００４−２４２５９５号公報
【考案の開示】
【考案が解決しようとする課題】
【０００４】
前記特許文献１記載のペット洗浄装置では、箱形の容器本体内に、洗浄液及び濯ぎ液を吹き付ける複数の液吹き付け手段、複数の送風口とを有する洗浄容器を設けるため、容器内の構造が複雑となっている。その結果、容器内の構造が複雑であるため、容器内の清掃作業や保守作業に手間がかかる。
【０００５】
また、ペットを抱えて容器内に入れて載置台に載せ、さらに蓋の開口枠に設けられたフードの切れ込みにペットの頭を通し、さらに洗浄後、蓋を取って送風口を開ける必要があるため、洗浄前の準備及び洗浄後の作業に手間が掛かる。
【０００６】
そこで、本考案は、洗浄前の準備に手間を掛けることなく、犬の洗浄作業や清掃作業の手間を軽減することができる犬洗浄装置を提供するものである。
【課題を解決するための手段】
【０００７】
本考案は、矩形の底板上に、犬を載置する高さが調整可能な載置台が配置され、載置台に載せた犬に向けて水を噴射する複数の水噴射孔が間隔をおいて配置された噴射パイプが配置され、前記底板の両側に対向して、縦フレームと横フレームからなる、側面となる側面フレームの下端が側面フレームを開閉可能に枢着され、それぞれの側面フレームの上端には、両側の側面フレームが起立した際に上面となる上面フレームの半分の巾に形成された上面形成用フレームが直角方向に対向して設けられ、それぞれの上面形成用フレームの前部には対向する上面形成用フレームが側面フレームの起立により突き合わされて犬の首が通る大きさの開口を形成する凹部が設けられた犬洗浄装置本体と、犬洗浄装置本体の、犬の頭を出した上面、両側面、前面及び後面を覆い、底板側は開放するカバーとを備えたことを特徴とする。
【０００８】
載置台は、その前端部に、底板に平行に間隔をおいて立設した一対の支持部材に上下方向に間隔をおいて形成した複数の支持用孔に差し込む差し込み棒が設けられ、高さが調整可能にする。
【０００９】
また、噴射パイプは、側面フレーム、及び載置台上に設けたり、間隔をおいて複数の水噴射孔が設けられている複数のアーチ形をしたアーチ形水噴射パイプが間隔をおいて平行に、起立した側面フレームと上面フレームで囲われる枠内に出入り可能な台車上に設けたりすることができる。
【考案の効果】
【００１０】
本考案の犬洗浄装置は、開閉可能なフレームで犬を囲い、その後、水を犬に向けて噴射して犬を洗浄できるので、人間の手を煩わせることなく洗浄作業を軽減することができる。
【００１１】
また、犬の載置台の高さが調整できるので、大きさの異なる犬に対して対応することができる。
【００１２】
本考案の犬洗浄装置は、側面フレームを回動させる構造となっているので、犬を容易に犬洗浄装置に出し入れることができる。
【００１３】
本考案の犬洗浄装置は、フレームを開閉するだけで頭が出入りする構造となっているため、頭を切れ目や開口に通す必要がないので、犬の出し入れが簡単にでき、犬に不快感を与えることもない。
【００１４】
本考案の犬洗浄装置は、フレームで構成され、さらに、載置台が取り外しできるので、箱形の容器からなる洗浄装置に比べて、清掃作業が容易に行える。
【００１５】
また、噴射パイプにアーチ形噴射パイプを使用すれば、犬の周囲を洗浄することができる。
【考案を実施するための最良の形態】
【００１６】
本考案の犬洗浄装置の実施例について図面を参照しながら説明する。
【実施例１】
【００１７】
図１（ａ）は本考案による、側面フレームを閉じた状態の犬洗浄装置本体の斜視図、（ｂ）は側面フレームを開いた状態を示す斜視図、図２は本考案の犬洗浄装置に犬を入れた、内部の状態を示す斜視図、図３は本考案の犬洗浄装置本体にカバーを被せた状態を示す斜視図である。
【００１８】
図１及び図２において、矩形の低板１の両側には、それぞれ側面フレーム２が回動自在に枢着されている。低板１は、大きい犬に合わせた面積とすることにより、小さい犬にも洗浄できるようにする。
【００１９】
側面フレーム２は、前後の横フレーム３とこの横フレーム３間に結合された縦フレーム４で矩形に形成され、横フレーム３の下端が低板１に回動自在に枢着される。側面フレーム２を矢印Ａ方向に回動させて開閉できる構造とすることにより、犬を容易に犬洗浄装置内に入れたり、洗浄後、犬洗浄装置内から出したりすることができる。
【００２０】
両側の側面フレーム２のそれぞれに設けられた上部の縦フレーム４には、底板１の半分の巾（上面を形成する上面フレームの半分の巾）に形成された上面形成用フレーム５が水平方向に対向して設けられる。両側の側面フレーム２が起立した際に、それぞれの上面形成用フレーム５が合わさって上面フレーム６が形成される。
【００２１】
それぞれの上面形成用フレーム５の前部には、対向する上面形成用フレーム５が突き合わされることにより犬の首が通る大きさの開口７を形成するための凹部８が形成される。上面形成用フレーム５の凹部８により、両側の側面フレーム２を起立させて上面形成用フレーム５を突き合わせることにより、犬の頭は、上面フレーム６から上へ出した状態にすることができる。この構造により、犬の頭を通す必要がないので、前作業が楽になる。
【００２２】
底板１には、犬を載置する載置台９を配置し、載置台９の高さは調整可能にする。載置台９の高さの調整機構は、犬の大きさに応じて載置台９が上下に調整できる機構であればよい。例えば、本実施例では、複数の支持用孔１０を上下方向に間隔をおいて形成した一対の支持部材１１を平行に底板１に立設する。支持部材１１の支持用孔１０は、水平、あるいはやや前傾させ、支持用孔１０に載置台９の前端部に設けた差し込み棒１２が差し込まれて載置台９が水平あるいは水平よりやや前傾した状態に支持し、犬の重量で載置台９が抜け落ちないようにする。犬の首の位置に応じて、差し込み棒１２を差し込む支持用孔１０の高さ位置を変えて犬の首が上面フレーム６の高さに位置するように高さを調整することができる。
【００２３】
両側の側面フレーム２には犬に向けて水を噴射するための水噴射手段が配置される。本実施例では、水噴射手段として、水噴射孔１３が間隔をおいて複数設けられた噴射パイプ１４が側面フレーム２に配置される。載置台９には上向きに水を噴射する噴射パイプ１４が配置されている。噴射パイプ１４の一端は塞がれ、他端には水を供給するフレキシブルパイプ１５が接続されて加圧水が供給される。噴射する水として、水道水が直接、あるいは加圧ポンプ（図示せず）により加圧された水が供給される。加圧ポンプは犬洗浄装置に付設してもよく、あるいは、別体にしてもよい。
【００２４】
洗浄する際に、噴射水が犬洗浄装置の周囲に飛散しないように、図２、図３に示すように、犬洗浄装置をカバー１６で覆う。カバー１６は、犬の頭１７を出して上面、前面、右側面、後面、左側面を覆い、底板側は開放した状態にできるものを使用する。図に示すカバー１６では、縦方向に２分割したカバー１６の端の部分を重ねて面テープで接合できるようにしている。
【００２５】
次に、本実施例の犬洗浄装置の使用方法について説明する。
【００２６】
浴室などの排水できる場所に犬洗浄装置を置く。次いで、側面フレーム２を左右に開いて、支持部材１１の支持用孔１０に載置台９の差し込み帽棒１２を上面フレーム６の開口７から犬１７の頭が出る高さになるように差し込む。
【００２７】
犬１７を載置台９の上に載せた後、両側の側面フレーム２を起こして上面形成用フレーム５を突き合わせると、犬の首が凹部８で形成される開口７から上に出る。
【００２８】
次いで、２分割したカバー１６をそれぞれ上面、前面、右側面、後面、左側面の半分をやや超えて覆い、端の部分を重ねて面テープで接合する。
【００２９】
次いで、噴射パイプ１４の他端に接続されているフレキシブルパイプ１５に水を供給すると、噴射パイプ１４の水噴射孔１３から水が犬に向かって噴射される。
【００３０】
所定の時間、水を噴射させて洗浄後、水の供給を停止させる。その後、カバー１６を外し、両側の側面フレーム２を両側に会同させて開き、犬を取り出す。
【実施例２】
【００３１】
図４（ａ）は本考案の別実施例の犬洗浄装置本体の側面図、（ｂ）は同正面図である。図５は本考案のアーチ形水噴射装置による噴水状体を示す図である。実施例１と同一部材には同一符号を付してその説明は省略する。
【００３２】
本実施例は、水噴射手段として、実施例１の水噴射パイプを側面フレームに設ける代わりに、犬を囲むアーチ形をしたアーチ形水噴射装置１８を出し入れ自在としたものである。
【００３３】
アーチ形水噴射装置１８は、複数のアーチ形水噴射パイプ１９が間隔をおいて平行に車輪２０により移動する台車２１に立設され、起立した側面フレーム２と上面フレーム６で囲われる枠内に出入り可能に収まる形状とする。アーチ形水噴射パイプ１９には、間隔をおいて複数の水噴射孔１３が設けられている。本実施例では、水を供給するフレキシブルパイプ１５へ加圧ポンプ２２により加圧された水が供給される。
【００３４】
本実施例では、犬を載置台９に載せた後、側面フレーム２を起立させて犬の首が凹部で形成される開口から上に出る。次いで、アーチ形水噴射装置１８を前方に移動させて、起立した側面フレーム２と上面フレーム６で囲われる枠内に入れた後、カバーを被せ、水の噴射を開始する。洗浄が完了した後、カバーを外し、両側の側面フレーム２を両側に倒して開き、アーチ形水噴射装置１８を後方に引き出し、犬を取り出す。
【００３５】
本実施例では、アーチ形水噴射装置を出入り自在に配置したので、犬の周囲から水を噴射させることができる。また、側面フレームに水噴射パイプを取り付けないで、側面フレームの構造も簡素化される。
【図面の簡単な説明】
【００３６】
【図１】（ａ）は本考案による、側面フレームを閉じた状態の犬洗浄装置本体の斜視図、（ｂ）は側面フレームを開いた状態を示す斜視図である。
【図２】本考案の犬洗浄装置に犬を入れた、内部の状態を示す斜視図である。
【図３】本考案の犬洗浄装置本体にカバーを被せた状態を示す斜視図である。
【図４】（ａ）は本考案の別実施例の犬洗浄装置本体の側面図、（ｂ）は同正面図である。
【図５】本考案のアーチ形水噴射装置による噴水状体を示す図である。
【符号の説明】
【００３７】
１：底板                      ２：側面フレーム
３：横フレーム                ４：縦フレーム
５：上面形成用フレーム        ６：上面フレーム
７：開口                      ８：凹部
９：載置台                  １０：支持用孔
１１：支持部材                １２：差し込み棒
１３：水噴射孔                １４：噴射パイプ
１５：フレキシブルパイプ      １６：カバー
１７：犬                      １８：アーチ形水噴射装置
１９：アーチ形水噴射パイプ    ２０：車輪
２１：台車
【図１】
0003134290.tif 000003
【図２】
0003134290.tif 000004
【図３】
0003134290.tif 000005
【図４】
0003134290.tif 000006
【図５】
0003134290.tif 000007